(57)【要約】【課題】  乗客が携帯端末に２次元コードの変換を円滑に行わせることができ、目的の情報に的確且つ容易にアクセスできるようにすること。【解決手段】  （ａ）に示すように、かご内表示パネル７は取付座１９を介して壁面に取り付けられ、パネル面が角度θ0だけ下方に傾いた状態で配置されている。この状態では、携帯端末１０のカメラの軸線Ｓが２次元コード表示位置Ｐを通る垂線上にあるため、携帯端末１０が認識する２次元コード画像は（ｂ）に示すように、歪みのない理想的な画像となり、携帯端末１０のカメラと２次元コードの各部位までの距離はどれも等しくなる。したがって、携帯端末１０のフォーカス合わせは容易且つ正確になる。【選択図】  図３
2006193276.tif 000002
【特許請求の範囲】
【請求項１】
情報配信源から配信されてくる表示情報を、携帯端末で読み取り可能な２次元コードに変換して出力する表示制御装置と、
エレベータのかご内又は乗り場の上方にそのパネル面を下方に向けて傾けた状態で設置され、前記２次元コードを含む前記表示制御装置からの表示情報を表示する表示パネルと、
を備えたことを特徴とするエレベータの情報表示システム。
【請求項２】
前記表示パネルの前記パネル面の傾き角は、前記かご内又は乗り場に位置する利用者の携帯端末で前記２次元コードを読み取り可能な範囲内に設定されている、
ことを特徴とする請求項１記載のエレベータの情報表示システム。
【請求項３】
前記表示制御装置は、前記情報配信源からの表示情報を蓄積する表示情報蓄積手段を備えており、この表示情報蓄積手段に蓄積された表示情報を、予め設定されたプログラムに基づき前記表示パネルに表示させるものである、
ことを特徴とする請求項１又は２記載のエレベータの情報表示システム。
【請求項４】
前記予め設定されたプログラムは、表示タイミング、表示期間、あるいは表示順序の少なくとも一つを制御するものである、
ことを特徴とする請求項３記載のエレベータの情報表示システム。
【請求項５】
前記予め設定されたプログラムは、逐次変更可能なものである、
ことを特徴とする請求項３又は４記載のエレベータの情報表示システム。
【請求項６】
前記表示制御装置は、前記情報配信源からの表示情報を前記表示パネルにリアルタイムで表示させるものである、
ことを特徴とする請求項１又は２記載のエレベータの情報表示システム。
【請求項７】
前記２次元コードは、インターネット上の特定のＵＲＬを示す情報を含むものである、
ことを特徴とする請求項１乃至６のいずれかに記載のエレベータの情報表示システム。
【請求項８】
前記表示パネルは、前記かご内又は乗り場の天井部付近の高さに設置されているものである、
ことを特徴とする請求項１乃至７のいずれかに記載のエレベータの情報表示システム。
【請求項９】
前記エレベータの乗り場に設置された表示パネルの画面には、前記２次元コードの表示を画面の一部を用いて常時行う２次元コード表示領域が設けられている、
ことを特徴とする請求項１乃至８のいずれかに記載のエレベータの情報表示システム。
【発明の詳細な説明】
【技術分野】
【０００１】
本発明は、情報配信源から配信されてくる各種の表示情報を、エレベータのかご内又は乗り場のうちの少なくともいずれかに設置された表示パネルに表示させる表示制御装置を備えたエレベータの情報表示システムに関するものである。
【背景技術】
【０００２】
産業流通市場では、各企業が自己の商品やサービスについてあらゆる場を利用してできるだけ効果的に宣伝広告することが重要である。そして、エレベータは不特定多数の乗客が利用する公共的な設備であり、宣伝広告を行うのに好適な場である。そのため、従来からエレベータのかご内や乗り場に表示パネルが設けられ、この表示パネルの画面に宣伝広告などの各種表示情報を表示させるエレベータの情報表示システムが提案されてきている。また、近時は携帯電話などの携帯端末が急速に普及しており、この携帯端末でインターネットにおける各広告主のホームページに簡単にアクセスすることが可能になっている。したがって、各企業は携帯端末を保有する消費者を意識した宣伝広告に力を注ぐようになってきている（例えば、特許文献１参照）。
【０００３】
ところで、従来のエレベータの情報表示システムでは、広告放映時間等についてはビルの所有者の希望が反映されるようになっているが、広告の内容に関しては広告情報配信サービス会社から配信される広告情報がそのままの形でかご内や乗り場の表示パネルに表示されている。そして、このような広告は、広告主の要求に基づき、ある商品又はサービスについて基本的な情報の他に詳細な情報までも紹介する内容になっているのが通常である。
【０００４】
しかし、エレベータのかご内又は乗り場に居る乗客が、その商品又はサービスについて興味を持っているのであれば、その広告はその乗客にとって有用な情報となるものの、興味を持っていない他の乗客にとっては退屈で無用な情報でしかない。
【０００５】
また、電車やバスの乗客と異なり、エレベータの乗客は一個所に立ち止まっている時間が短いために、かご内や乗り場の表示パネルにはできるだけ多くの種類の広告を効率良く表示させることが求められる。しかし、広告情報配信サービス会社から配信される従来の広告情報は、上記の通り、一部の乗客にしか有用でない詳細情報についても全て表示パネルに表示させるようにしていたため、必ずしも効率の良い表示とは言い難いものであった。
【０００６】
そこで、本出願人は、一画面中に表示可能な情報量が限られている表示パネルに対し、その表示効率を充分に高めることが可能な技術を既に提案している（特願２００４−３１８０３６号）。具体的には、情報配信源から配信されてくる所定の表示情報については、表示制御装置が２次元コードに変換してかご内又は乗り場の表示パネルに表示させるようにしたものである。これにより、多くの情報を２次元コードの形で比較的小さな画面領域に表示させることができるようになり、また、乗客が携帯端末の機能を利用することにより２次元コードに含まれる情報を読み取ることができるようにしている。
【０００７】
図７は、これらの表示パネルの配置状態を示す説明図であり、（ａ）はかご内における表示パネル７の配置例、（ｂ）は乗り場における表示パネル８の配置例を示している。
【０００８】
図７（ａ）において、かご側ドア１１の側方及び上方にはそれぞれかご内操作盤１２及びかご位置表示盤１３が配置されている。そして、かご内操作盤１２の上方であってかご位置表示盤１３の側方の位置、すなわち天井部１４付近の高さ位置にかご内表示パネル７が設置されている。このように、表示パネルを高い位置に設置しているのは、かご内のどの位置に立っている乗客も表示内容が見られるようにするためである。
【０００９】
同様に、図７（ｂ）において、乗り場側ドア１５（裏面にかご側ドア１１が隠れている）の側方及び上方にはそれぞれ乗り場操作盤１６及びかご位置表示盤１７が配置されている。そして、乗り場操作盤１６の上方であってかご位置表示盤１７の側方の位置、すなわち天井部１８付近の高さ位置に乗り場表示パネル８が設置されている。
【特許文献１】特開２００３−８５４４２号公報
【発明の開示】
【発明が解決しようとする課題】
【００１０】
ところが、乗客が図７（ａ），（ｂ）のかご内表示パネル７又は乗り場表示パネル８に表示された２次元コードを携帯端末に読み取らせようとしても、その読み取りがうまくいかないことがしばしば生じている。この理由につき、図８を用いて説明する。
【００１１】
図８（ａ）は、かご内の乗客Ｍが携帯端末１０を上方に向けて、かご内表示パネル７に表示された２次元コードの情報を読み取ろうとしている状態を示している。乗客Ｍは、携帯端末１０の液晶画面を見ながら、２次元コード表示位置Ｐに対してカメラのフォーカスを合わせ、その後に２次元コードの変換動作を携帯端末１０に行わせるようにする。
【００１２】
しかし、２次元コード表示位置Ｐは携帯端末１０のカメラよりも上方の位置にあるため、携帯端末１０にとって２次元コードの上辺は遠くに位置する部位となり、逆に、２次元コードの下辺は近くに位置する部位となる。したがって、携帯端末１０のカメラが認識する２次元コードの形状は完全な正方形ではなく、図８（ｂ）に示すように、上辺Ｗ1よりも下辺Ｗ2の方が大きくなった台形状のものであり、歪みを有するものとなる。
【００１３】
人間が文字や記号を読み取る場合は、文字や記号が多少歪んだ状態で表示されたとしてもその表示内容を正しく認識することが可能であるのに対し、携帯端末１０のカメラのようなディジタル機器が２次元コードを読み取る場合には、２次元コードの歪みが一定以上大きくなった状態で表示されると、それが不可能となる。つまり、各部位までの距離がそれぞれ異なってくるため、本来は正方形をなす２次元コードを識別することができない。また、２次元コードを正方形に補正しようとするとフォーカス合わせが困難となる。
【００１４】
このような理由により、従来は、携帯端末１０が２次元コードの変換に失敗することがしばしば生じていた。そして、乗客Ｍが携帯端末１０に２次元コードの読み取りを行わせるための操作を再度行っている間に、エレベータが目的階に到着してしまうこととなっていた。
【００１５】
本発明は上記事情に鑑みてなされたものであり、乗客が携帯端末に２次元コードの変換を円滑に行わせることができ、目的の情報に的確且つ容易にアクセスすることが可能なエレベータの情報情報システムを提供することを目的としている。
【課題を解決するための手段】
【００１６】
上記課題を解決するための手段として、請求項１記載の発明は、情報配信源から配信されてくる表示情報を、携帯端末で読み取り可能な２次元コードに変換して出力する表示制御装置と、エレベータのかご内又は乗り場の上方にそのパネル面を下方に向けて傾けた状態で設置され、前記２次元コードを含む前記表示制御装置からの表示情報を表示する表示パネルと、を備えたことを特徴とする。
【００１７】
請求項２記載の発明は、請求項１記載の発明において、前記表示パネルの前記パネル面の傾き角は、前記かご内又は乗り場に位置する利用者の携帯端末で前記２次元コードを読み取り可能な範囲内に設定されている、ことを特徴とする。
【００１８】
請求項３記載の発明は、請求項１又は２記載の発明において、前記表示制御装置は、前記情報配信源からの表示情報を蓄積する表示情報蓄積手段を備えており、この表示情報蓄積手段に蓄積された表示情報を、予め設定されたプログラムに基づき前記表示パネルに表示させるものである、ことを特徴とする。
【００１９】
請求項４記載の発明は、請求項３記載の発明において、前記予め設定されたプログラムは、表示タイミング、表示期間、あるいは表示順序の少なくとも一つを制御するものである、ことを特徴とする。
【００２０】
請求項５記載の発明は、請求項３又は４記載の発明において、前記予め設定されたプログラムは、逐次変更可能なものである、ことを特徴とする。
【００２１】
請求項６記載の発明は、請求項１又は２記載の発明において、前記表示制御装置は、前記情報配信源からの表示情報を前記表示パネルにリアルタイムで表示させるものである、ことを特徴とする。
【００２２】
請求項７記載の発明は、請求項１乃至６のいずれかに記載の発明において、前記２次元コードは、インターネット上の特定のＵＲＬを示す情報を含むものである、ことを特徴とする。
【００２３】
請求項８記載の発明は、請求項１乃至７のいずれかに記載の発明において、前記表示パネルは、前記かご内又は乗り場の天井部付近の高さに設置されているものである、ことを特徴とする。
【００２４】
請求項９記載の発明は、請求項１乃至８のいずれかに記載の発明において、前記エレベータの乗り場に設置された表示パネルの画面には、前記２次元コードの表示を画面の一部を用いて常時行う２次元コード表示領域が設けられている、ことを特徴とする。
【発明の効果】
【００２５】
本発明によれば、表示パネルのパネル面が利用者側に向けて傾けてあるため、二次元コードをより原形に近い形で取り込むことができる。これにより、利用者が二次元コードをほぼ正確な形で取り込むことができるため、目的の情報に的確にアクセスすることが可能となる。
【発明を実施するための最良の形態】
【００２６】
図１は、本発明の第１の実施形態に係るエレベータの情報表示システムの構成図である。この図において、インターネット１に情報配信源２（例えば、広告情報配信サービス会社等のサーバ）が接続されている。このインターネット１には、また、エレベータシステム内に設置されている表示制御装置３が接続されている。そして、この表示制御装置３は、表示情報蓄積手段４、プログラム変更手段５、及び２次元コード変換手段６を有しており、インターネット１を介して情報配信源２から配信されてくる各種の表示情報を取り込むようになっている。
【００２７】
表示情報蓄積手段４は、情報配信源２から取り込んだ表示情報を蓄積するものであり、ＨＤＤ（ハードディスク）などの充分な記憶容量を有する不揮発性メモリにより構成されている。
【００２８】
プログラム変更手段５は、表示制御装置３にデフォルトで設定されている表示プログラムを変更する手段である。表示プログラムは、例えば、表示タイミング、表示期間、あるいは表示順序などの少なくとも一つを制御するようプログラミングされている。これらのプログラムの内容は、エレベータが設置されているビルの用途、曜日、時間帯などに基づいて任意に設定し変更することができる。
【００２９】
２次元コード変換手段６は、情報配信源２から配信されてくる表示情報のうち、予め定められている情報を２次元コードに変換するための手段である。２次元コードとは、濃淡２色から構成される正方形又はそれに準じた形状で全体としてモザイク模様をなし、種々の情報が埋め込まれたものである。この２次元コードは、バーコードなどの１次元コードとは異なり、横方向及び縦方向の２次元データを持つ符号により表されている。したがって、２次元コードは１次元コードに比べて非常に大きな（数十〜数百倍）情報量を持つことができ、これは宣伝広告等を扱う情報量として好適である。
【００３０】
そして、カメラ機能及び２次元コード変換機能が搭載された携帯電話等の携帯端末でこの２次元コードを読み取ると、携帯端末の画面には２次元コードに埋め込まれていた文字情報や画像情報などが表示され、宣伝広告が行われる。また、通常、２次元コードにはインターネットのＵＲＬも埋め込まれているので、面倒な入力作業を行うことなく簡単に、広告主の指定するホームページにアクセスすることが可能になる。
【００３１】
表示制御装置３にはかご内表示パネル７及び乗り場表示パネル８が接続されており、表示制御装置３はこれらの表示パネルの画面に、表示情報蓄積手段４に蓄積されている表示情報を表示するようになっている。そして、図示の例では、かご内にの乗客Ｍは、携帯端末１０によりかご内表示パネル７の画面に表示されている２次元コード９を読み取ろうとしている。なお、以下の説明では、２次元コードに含まれる情報を「詳細情報」と呼び、２次元コード以外の表示情報を「基本情報」と呼ぶ。
【００３２】
また、この実施形態では、乗り場表示パネル８の画面サイズがかご内表示パネル７よりも大きくなっており、乗り場表示パネル８の画面には２次元コードのみを常時表示する２次元コード表示領域８ａが形成されている。そして、この２次元コード表示領域８ａに複数の２次元コード９，９Ａ，９Ｂが表示された状態になっている。なお、本発明の技術が適用される前提として、乗客Ｍの持つ携帯端末１０にはカメラ機能及び２次元コード変換機能が搭載されており、また、かご内及び乗り場には、携帯端末１０によりインターネット１にアクセスすることが可能な通信環境が構築されているものとする。
【００３３】
図２は、図１の表示パネル７，８の配置状態を示す説明図であり、（ａ）はかご内における表示パネル７の配置例、（ｂ）は乗り場における表示パネル８の配置例を示している。図２（ａ），（ｂ）が図７（ａ），（ｂ）と異なる点は、かご内表示パネル７及び乗り場表示パネル８が、それらのパネル面が下方に傾斜して取り付けられていることである。そのため、これらの図中では、本来は長方形の表示パネル７，８の上辺側が下辺側よりもやや長い台形形状として図示されている。
【００３４】
図３は、図２のように表示パネル７，８を配置したことに基づく作用効果についての説明図であり、（ａ）は、パネル面が下方に傾けて取り付けられたかご内表示パネル７（又は乗り場表示パネル８）に対して携帯端末１０のカメラを向け、表示された２次元コードの情報を読み取ろうとしている状態を示し、（ｂ）は、（ａ）における携帯端末１０が認識する２次元コード画像を示している。
【００３５】
図３（ａ）において、かご内表示パネル７は上端部が寸法Ｔだけ突出した状態で取付座１９を介して壁面に取り付けられており、そのパネル面が角度θ0だけ下方に傾いた状態で配置されている。そして、乗客Ｍは携帯端末１０のカメラを２次元コード表示位置Ｐに向け、携帯端末１０に２次元コードの変換動作を行わせようとしている。この状態では、携帯端末１０のカメラの軸線Ｓが２次元コード表示位置Ｐを通る垂線上にあるため、携帯端末１０が認識する２次元コード画像は図３（ｂ）に示すように、ほとんど歪みのない理想的な画像となり、携帯端末１０のカメラと２次元コードの各部位までの距離はどれもほぼ等しくなる。したがって、乗客Ｍは携帯端末１０のフォーカス合わせを容易且つ正確に行うことができ、携帯端末１０の２次元コード変換動作を円滑に行わせることができる。
【００３６】
ここで、本発明の発明者らは、２次元コード表示位置Ｐに対する携帯端末１０のカメラの角度を種々に変化させて、２次元コード変換動作を携帯端末１０に行わせてみた。その結果、携帯端末１０が２次元コード変換動作を円滑に行うことが可能な範囲は、２次元コード表示位置Ｐにおけるパネル面に垂直な軸線Ｓに対してカメラの上下方向の傾斜角θ1が約３０度以内の場合であるということが判明した。
【００３７】
なお、壁面から乗客Ｍまでの距離Ｌ、すなわち乗客Ｍが携帯端末１０での読み取りを行うのに好適な位置は、通常、かご内の中央位置よりもややかご内表示パネル７側に寄った位置となると考えられるが、エレベータのかご内面積やエレベータの用途などの仕様に応じてそれぞれ異なってくるため、一概に特定することはできない。
【００３８】
また、本実施形態では、かご内表示パネル７の背面側に取付座１９（又は表示パネルの筐体）を固着しているのでかご内表示パネル７の壁面に対する傾斜角θ0は固定値となっているが、取付座１９に角度調節機能を付加するなどして、この傾斜角θ0を可変とすることも可能である。
【００３９】
次に、図１における乗客Ｍの動作例を図４のフローチャートを参照しつつ説明する。まず、利用者はかごに乗車する（ステップ１）。すると、かご内に設置されている人感センサ（図示せず）が、かご内の乗客Ｍの存在を検知し、この検知信号に基づき、表示制御装置３は表示情報蓄積手段４に蓄積されている表示情報をかご内表示パネル７及び乗り場表示パネル８に表示させる。
【００４０】
このとき、表示パネルの画面にどのような表示情報が表示されるか（例えば、複数の広告主の広告のうちどの広告情報が表示されるか）、また、表示情報蓄積手段４に蓄積されている表示情報のうちどの情報を２次元コード変換手段６が２次元コードに変換するかについては、デフォルトで設定されているプログラム、又はプログラム変更手段５により変更された変更プログラムにより予め規定されている。
【００４１】
そして、かご内に居る乗客Ｍは、かご内表示パネル７の画面に２次元コード９が表示されているのを確認する（ステップ２）。図５（ａ）は、このとき乗客Ｍが確認した画面表示例を示す説明図である。この図に示すように、画面には広告内容の概要を表す基本情報が表示されると共に、２次元コード９からは詳細情報が得られることを示すメッセージ（「新規一戸建て物件の情報が満載」）が表示されている。
【００４２】
上記のメッセージにより、乗客Ｍは基本情報に興味を覚え、詳細情報を得るべく画面に表示されている２次元コード９を自己の持っている携帯端末１０で撮影し、２次元コード９に含まれる文字情報を携帯端末１０の画面に表示させる（ステップ３）。このとき、かご内表示パネル７は、図２（ａ）に示したように、天井部１４付近の高い位置に設置されているので、かご内に乗客Ｍ以外の者が複数居たとしても、これら他の乗客の陰になって乗客Ｍが画面を見られないというような事態は生じない。
【００４３】
そして、乗客Ｍは携帯端末１０のカメラのズーム機能やフォーカス機能を用いることにより、かご内表示パネル７からある程度離れた場所に位置していたとしても、携帯端末１０に２次元コード９を読み取らせることができる。また、このとき、かご内表示パネル７が下方に傾けて配置されているため、携帯端末１０による２次元コード９の読み取りが円滑に行われることは図３において既述した通りである。
【００４４】
図５（ｂ）は、図５（ａ）における２次元コード９が変換されて携帯端末画面１０ａに表示された詳細情報を示す説明図である。この図に示すように、建物物件情報の詳細が表示され、最下行には広告主のＵＲＬが表示されている。乗客Ｍは、上記のＵＲＬをクリックすることにより広告主がインターネット１上に提供しているホームページにアクセスすることができ、詳細情報を簡単に入手することができる（ステップ４）。
【００４５】
ところで、かご内表示パネル７の画面の表示内容は逐次切り換わるが、乗客Ｍが２次元コード９を携帯端末１０に読み取らせるためにはある程度の時間が必要である。そのため、画面の切換と共に基本情報の表示が切り換わったとしても、２次元コード９については、携帯端末１０が読み取るのに充分な長さの時間だけは継続して表示されるように表示制御装置３によって制御される。
【００４６】
しかし、乗客Ｍが携帯端末１０の操作に手間取ったり、操作タイミングが遅れたりすることにより、エレベータかごが目的階に到着し、乗客Ｍがかご外に下りる時点になっても未だ携帯端末１０の読み取りが終了しない、というような場合も起こり得る。本実施形態では、このような場合、乗客Ｍは目的階の乗り場に設置されている乗り場表示パネル８を利用して、かご内で行えなかった２次元コード９の読み取りを完了させることができる。
【００４７】
つまり、乗り場表示パネル８の表示画面には２次元コード表示領域８ａが設けられており、この２次元コード表示領域８ａ内の最も左側には、かご内のものと同一の２次元コード９が他の２次元コード９Ａ，９Ｂと区別して表示されている。したがって、乗客Ｍはかごから下りた後、充分な時間をかけて携帯端末１０を操作し、かご内表示パネル７に表示されていたのと同一の２次元コード９が２次元コード表示領域８ａの最も左側に表示されていることを把握しながら、その読み取りを終了させることができる。
【００４８】
なお、２次元コード表示領域８ａに表示すべき２次元コードが多数あり、全ての２次元コードを一画面中に表示できない場合は、これら２次元コード９Ａ，９Ｂの組合せを所定時間以上継続した後、次の２次元コードの組合せを表示する。そして、一巡して全ての２次元コードの表示が行われた後、再び２次元コード９Ａ，９Ｂの表示が所定時間以上継続されるようになっている。この場合、かご内のものと同一の２次元コード９は他のものと区別できるように、表示制御装置３によって制御される。
【００４９】
上述したように、本発明の第１の実施形態では、かご内表示パネル又は乗り場表示パネルをそのパネル面が下方に傾いた状態となるように配置し、携帯端末が認識する２次元コード画像がほとんど歪みのない理想的な画像となるようにしているので、乗客は携帯端末のフォーカス合わせを容易且つ正確に行うことができ、携帯端末の２次元コード変換動作を円滑に行わせることができる。
【００５０】
図６は、本発明の第２の実施形態に係るエレベータの情報表示システムの構成図である。この実施形態における表示制御装置３Ａは、図１の表示制御装置３と異なり、表示情報蓄積手段４及びプログラム変更手段５が省略された簡単な構成となっている。したがって、情報配信源２からの表示情報は、表示制御装置３Ａの２次元コード変換手段６で所定の情報が２次元コードに変換される他は、そのままリアルタイムでかご内表示パネル７及び乗り場表示パネル８に表示されることになる。
【００５１】
本実施形態では、このように情報配信源２からの表示情報の大半がそのまま表示パネル７，８に表示されるので、表示制御装置３Ａの構成を簡単化することができコストダウンを図ることができる。但し、表示プログラムの管理については広告情報配信サービス会社に一任することになるので、ビルの所有者又はエレベータ保守会社等は、広告情報配信サービス会社と表示プログラムの内容やその管理方法について事前に充分な打ち合わせを行う必要がある。
【００５２】
本発明の構成は、概ね上述した通りのものであるが、本発明は次の形態をも広く包含するものである。
【００５３】
（１）上記実施形態では、かご内及び乗り場の双方に表示パネル７，８を設置した構成としてあるが、いずれか一方のみに表示パネルを設置する構成としてもよい。
【００５４】
（２）上記実施形態では、表示パネル７，８の双方に同一の２次元コード９を表示している。しかし、乗客Ｍがかご内に居る時間が短い場合、乗客Ｍは携帯端末１０に２次元コード９を読み取らせる操作を急いで行わなければならない。そこで、かご内表示パネル７においては２次元コード９の表示を省略し、代わりに「新規一戸建て物件情報」の詳細が盛り込まれた２次元コード９が各乗り場の乗り場表示パネル８に表示されている旨のメッセージを表示するようにしてもよい。これにより、乗客Ｍは、かごから下りた後（乗る前でもよい）携帯端末１０に２次元コード９を読み取らせる操作を余裕をもって行うことができる。
【００５５】
（３）上記実施形態では、乗り場表示パネル８の画面中に２次元コード表示領域８ａを設け、この領域８ａ内に２次元コードを表示させているが、領域８ａを設ける代わりに２次元コード専用の表示パネルを別個に設けることとしてもよい。
【００５６】
（４）上記実施形態では、ネットワークがインターネット１である場合を例に取り説明しているが、本発明はインターネットに限られることなく、エレベータシステムが設置されている地域固有のＬＡＮなどのネットワークを広く含むものである。
【００５７】
（５）表示パネル７，８の種類は限定されず、液晶ディスプレイ、プラズマディスプレイあるいはＣＲＴ型ディスプレイのいずれであってもよい。
【００５８】
（６）２次元コードの種類は限定されない。現在、ＱＲコード（登録商標）が広く知られているが、その他の２次元コード、例えば、PDF417,MaxiCode,DataMatrix,VeriCode,Code49,Code1,AztecCode,SuperCode,RSS（登録商標であるものを含む）などであってもよい。
【図面の簡単な説明】
【００５９】
【図１】本発明の第１の実施形態に係るエレベータの情報表示システムの構成図。
【図２】図１の表示パネル７，８の配置状態を示す説明図であり、（ａ）はかご内における表示パネル７の配置例、（ｂ）は乗り場における表示パネル８の配置例を示している。
【図３】図２のように表示パネル７，８を配置したことに基づく作用効果についての説明図であり、（ａ）は、パネル面が下方に傾けて取り付けられたかご内表示パネル７に対して携帯端末１０のカメラを向け、表示された２次元コードの情報を読み取ろうとしている状態を示し、（ｂ）は、（ａ）における携帯端末１０が認識する２次元コード画像を示している。
【図４】図１における乗客Ｍの動作例についてのフローチャート。
【図５】図１におけるかご内表示パネル７の画面表示例についての説明図であり、（ａ）は乗客Ｍが確認した画面、（ｂ）は（ａ）における２次元コード９の変換情報を示している。
【図６】本発明の第２の実施形態に係るエレベータの情報表示システムの構成図。
【図７】従来の表示パネルの配置状態を示す説明図であり、（ａ）はかご内における表示パネル７の配置例、（ｂ）は乗り場における表示パネル８の配置例を示している。
【図８】従来構成の課題についての説明図であり、（ａ）は、かご内に居る乗客Ｍが携帯端末１０を上方に向けて、かご内表示パネル７に表示された２次元コードの情報を読み取ろうとしている状態を示し、（ｂ）は（ａ）における２次元コード９の変換情報を示している。
【符号の説明】
【００６０】
１  インターネット
２  情報配信源
３  表示制御装置
４  表示情報蓄積手段
５  プログラム変更手段
６  ２次元コード変換手段
７  かご内表示パネル
８  乗り場表示パネル
８ａ  ２次元コード表示領域
９，９Ａ，９Ｂ  ２次元コード
１０  携帯端末
１０ａ  携帯端末画面
１１  かご側ドア
１２  かご内操作盤
１３  かご位置表示盤
１４  天井部
１５  乗り場側ドア
１６  乗り場操作盤
１７  かご位置表示盤
１８  天井部
１９  取付座
Ｍ  乗客
【図１】
2006193276.tif 000003
【図２】
2006193276.tif 000004
【図３】
2006193276.tif 000005
【図４】
2006193276.tif 000006
【図５】
2006193276.tif 000007
【図６】
2006193276.tif 000008
【図７】
2006193276.tif 000009
【図８】
2006193276.tif 000010